(57)【特許請求の範囲】
【請求項１】
内部に火災検出部を収容した本体と、該本体の下部に結合される保護カバーとよりなる筐体を備えた火災感知器において、
前記本体の内部に前記火災検出部の点検用のスイッチを設け、
該点検用のスイッチが設けられるプリント基板に、前記点検用のスイッチが押されると点灯又は点滅する確認灯を設け、
該確認灯の周りに、前記点検用のスイッチを押す押し釦が接触するリブを設け、
前記点検用のスイッチを押す押し釦に引き紐を接続し、該引き紐を前記筐体から引き出したことを特徴とする火災感知器。
【請求項２】
内部に火災検出部を収容した本体と、該本体の下部に結合される保護カバーとよりなる筐体を備えた火災感知器において、
前記本体の内部に前記火災検出部の点検用のスイッチを設け、
該点検用のスイッチを押す押し釦を設け、
該押し釦は、逆キャップ状に成型されて、外周にフランジ部が形成され、
該フランジ部の一部に形成された延長部に引き紐が連結されて、該引き紐が前記筐体から引き出されることを特徴とする火災感知器。
【請求項３】
前記筐体の外周に滑り止め用の指掛けを設けたことを特徴とする請求項１又は２記載の火災感知器。
【発明の詳細な説明】
【０００１】
【発明の属する技術分野】
一般に、この種の火災感知器を設置した建物内に火災が発生すると、火災の熱や煙を感知する感知素子を介して本体内部の火災検出部が動作して確認灯を自動的に点灯させて火災感知器の動作状態を表示するようになっている。このほか、火災感知器の中には、点検用の押し釦や引き紐でスイッチをＯＮ操作すると、火災検出部が擬似的に動作し上記の確認灯が点灯したりブザーが鳴動して火災感知器の正常な動作状態がチェックできるようにした家庭用に適する構成の火災感知器もある。
本発明は火災感知器に係り、さらに詳しくは主として上述のような確認灯が設けられた火災感知器に関するものである。
【０００２】
【従来の技術】
図６（ａ）は上述したような確認用の表示灯を備えた従来の火災感知器で、実公昭６１−１５１１号公報記載の図面が示されている。図６（ａ）において、１０１は合成樹脂からなり、天井部等に適宜取付固定された感知器の本体である。１０２は本体１０１に対して回転させることによって着脱し得る保護カバー、１０３は動作表示回路ブロック、１０４は動作表示灯、１０８は光ガイドである。而して、火災が発生し、放出された熱、煙、炎などを図示しない火災検出部が検出すると動作表示灯１０４が点灯し、この光は空間を介して光ガイド１０８に伝達し、かつ外部から容易に確認できるように構成されている。そして、「感知器本体と保護カバーとを完全に分離でき、保守する。清掃等を容易になし得、その作業性が向上する。等の実用的効果を有する。」という説明がなされている。
【０００３】
また、図６（ｂ）は前述の点検用のスイッチ操作で動作状態がチェックできる構成の従来の火災感知器（電気機器）で、実開昭５６−１８６３３号公報記載の図面が示されている。図６（ｂ）において、２０１は機器ケース、２０３は動作確認用のスイッチ、２０３ａは押釦、２０４は引紐である。また、２０６はプリント基板、２０８は内壁より突出するレバーである。レバー２０８の先端には引紐２０４が取り付けられ、ケース２０１の孔から引き出されて吊り下げられている。プリント基板２０６にはブザー２０２と、火災検出部の回路等が実装されている。そして、ケース２０１から吊り下げられた引紐２０４を引くと押釦２０３ａが押されてスイッチ２０３がＯＮになり、ブザー２０２が鳴って火災感知器の正常な動作状態の有無が点検できるようになっている。
【０００４】
【発明が解決しようとする課題】
図６（ａ）に示された火災感知器は図に示すように、光ガイド１０８の先端が中央を突出させた保護カバー１０２の傾斜面の途中に露出している。このため、光ガイド１０８の光が保護カバー１０２の中央の突出部で遮られれて、反対側（図の左側）から感知器をみるような場合は、感知器の感知動作を確認することが不可能になる。一方、図６（ｂ）では、レバー２０８が底壁と平行になるようにケース２０１と一体成型されている。そして、引き紐２０４でレバー２０８を間接的に変位させてから、押釦２０３ａを押圧して動作確認用のスイッチ２０３を作動させるようになっている。したがって、スイッチ２０３とレバー２０８との相対位置の製作に手間が掛かり、それだけ調整も面倒になってコスト高になる等、上記従来の両装置はいずれも何らかの問題点があった。
【０００５】
一方、前記したように、火災感知器の筐体は表面が緻密な円盤状の合成樹脂で作られているので、滑り易くなっている。したがって、片手で本体を掴んだときに、指が滑って床面上に落とすようなことがある。落とした床面が堅い場合には、感知素子が破損するようなときや筐体が分解してしまうときもある。
【０００６】
本発明は、上述のような従来の火災感知器の問題点を解消するためになされたもので、動作確認用のスイッチをほぼ直接的に操作して構成を簡素化して応答を速くすると共に、天井面などへの取付けや取り外しが容易でその上安全な火災感知器を実現することを目的とするものである。
【０００７】
【課題を解決するための手段】
本発明は、内部に火災検出部を収容した本体と、本体の下部に結合される保護カバーとよりなる筐体を備えた火災感知器において、本体の内部に火災検出部の点検用のスイッチを設け、点検用のスイッチが設けられるプリント基板に、点検用のスイッチが押されると点灯又は点滅する確認灯を設け、確認灯の周りに、点検用のスイッチを押す押し釦が接触するリブを設け、点検用のスイッチを押す押し釦に引き紐を接続し、引き紐を筐体から引き出した火災感知器を構成したものである。
また、本発明は、内部に火災検出部を収容した本体と、本体の下部に結合される保護カバーとよりなる筐体を備えた火災感知器において、本体の内部に火災検出部の点検用のスイッチを設け、点検用のスイッチを押す押し釦を設け、押し釦は、逆キャップ状に成型されて、外周にフランジ部が形成され、フランジ部の一部に形成された延長部に引き紐が連結されて、引き紐が前記筐体から引き出される火災感知器を構成したものである。
さらに、本発明は、筐体の外周に滑り止め用の指掛けを設けた火災感知器を構成したものである。
【０００８】
【発明の実施の形態】
実施の形態１
図１は本発明の実施の形態１の構成説明図で、（ａ）は側断面図、（ｂ）は底面図、図２はスイッチ機構の動作説明図である。本発明の実施の形態では、従来と対応する構成部材でも異なる名称と符号が用いられている。
図１と図２において、１は感知器の筐体である。筐体１は表面性状が緻密で円滑な樹脂材で成型されている。２は本体、３は本体１の下部に結合された保護カバーで、上記の本体２と保護カバー３により筐体１が構成されている。２０は本体２の内部で水平方向に配置されたプリント基板、２１は係止片２２によりプリント基板２０に取り付けられた光学台である。２３は左右一対の確認灯で火災検出部が火災を検出した時に点灯表示する。この際、確認灯２３の投射光は、後述するライトガイドにに投射される。光学台２１の内部は気流の流通が可能な暗箱を形成し、内部に煙を感知する投光素子及び受光素子（共に、図示せず）が設けられている。
【０００９】
４は火災検出部の動作を確認する点検用のスイッチ機構である。４０はスイッチ機構４におけるスイッチ本体、４１はキートップ、４２は押し釦、４３は引き紐である。押し釦４２は中心部に挿入孔４４を設けた二重筒状で逆キャップ型に成型され、挿入孔４４によりキートップ４１に嵌合できる形状になっている。この押し釦４２は、上端外周にフランジ部４５が形成され、このフランジ部４５の部分的な延長部に引き紐４３を連結するための取付孔４６が穿設されている。押し釦４２には筐体１等と同様に硬質樹脂が用いられているが、キートップ４１には可撓性を有するやや軟質な樹脂が用いられている。このほかに図面には表示されていないが、プリント基板２０には抵抗やコンデンサ或いはＩＣなどの電子部品が実装されている。そして、これらの電子部品と前記の光学台２１等により火災検出部が構成されて、本体２の内部に収容されている。
【００１０】
３１は円板状の保護板、３２は保護板３１を支える放射状の支柱、３３は支柱３２の間に形成された通気路、３４は音響孔である。保護板３１は皿形の保護カバー３の底部に設けられて、光学台２１の外部を覆って外力等から保護する。３５は押し釦４２を露出させた釦孔、３６は環状（リング状）のライトガイドで、確認灯２３が点灯して照射される時、リング状全周にわたって点灯するものである。３７は押し釦４２のリブである（図２参照）。ライトガイド３６には、アクリル樹脂のような透光性で帯状の樹脂材が用いられている。ライトガイド３６は保護カバー３の傾斜面、より具体的には、光学台２１の外周部分の表面に設けられ、内面側の一部は図示のように左右の確認灯２３に接近している。１１は本体２の上部に突設された鍵形の取付金具で、接続端子を兼ねていて天井面に固定されたベースに火災感知器が装着される。
【００１１】
図３はライトガイド３６の詳細を示した断面図である。上述したように、ライトガイド３６は確認灯２３が点灯する時、その投射光を受けて、その表面が全体的に発光するものである。このようにライトガイド３６の全体を発光させる方法には、図３に示すような方法がある。即ち、図３において、ライトガイド３６の底面は、鋸の刃のようにぎざぎざに形成されている。そして確認灯２３としてサイド発光式のＬＥＤを使用して、横方向からライトガイド３６の底面を照射することで、ライトガイド３６の表面全体を発光させることが可能となる。または、ライトガイド３６の底面に、ブラストをかけて、磨りガラスのように形成することで、確認灯２３の投射光を拡散させ、全体を発光させるようにしてもよい。この場合には、ライトガイド３６の底面側の一部に、確認灯２３を臨ませる凹部を設けると良い。
【００１２】
火災が発生して保護カバー３の支柱３２間の通気路３３を通して光学台２１内に煙が侵入すると、投光素子及び受光素子間の散乱光が煙によって増加する。そして、受光素子の受光量が一定値に到達すると火災が判断され、図示しないブザーが鳴動すると共に確認灯２３が点灯又は点滅する。この場合、前記のように実施の形態１によればリング状のライトガイド３６が、火災の発生に伴って点灯した確認灯２３に接近して設けられている。このため、確認灯２３の投射光がライトガイド３６を照射し、確認灯２３の点灯光が内部を透過して、リング状のライトガイド３６が発光して付近を照明することになる。こうして、火災の発生に応動動作した火災感知器を、保護カバー３の全周面で発光するライトガイド３６によりいずれの方向からも確認することができる。
【００１３】
次に、前述したような火災検出部の点検動作を、図２により説明する。
図２は実施形態１のスイッチ機構の動作説明図で、（ａ）は押し釦の動作説明図、（ｂ），（ｃ），（ｄ）は引き紐の動作説明図である。押し釦４２は平常状態では図２（ａ）のようにスイッチ本体４０のバネ圧を受けて傾斜することなく水平に保持されている。なお、この時、フランジ４５の一端（右端）は保護カバー３のリブ３７とわずかに離れている。そこで、押し釦４２によりスイッチ機構４の作動状態を点検するときは、釦孔３５から露出した押し釦４２の底部を垂直上方に押す。矢印のように底部を押し上げると、押し釦４２がキートップ４１に沿ってそのまま垂直方向に一体に上昇してスイッチ本体４０がＯＮになって火災検出部が正常に動作するかが確認（点検）されると、確認灯２３が点灯又は点滅する。押し釦４２から指を離せば、バネ圧で押し釦４２は垂直に降下して復元する。
【００１４】
また、引き紐４３を利用する場合は、図２（ｂ）に示すように筐体１から引き出された引き紐４３の先端を引き下げることになる。当初は図２（ａ）のように水平状態に保持された押し釦４２が、引き紐４３を引き始めると取付孔４６を設けた延長部が引っ張られて押し釦４２が中心軸線を支点に左上がりに傾く。同時に、図２（ｄ）に示すように本体２の内部の垂直面と引き紐４３との傾斜角θが、押し釦４２の傾きに追随してθ１〜θ２に増加する。引き紐４３がさらに引かれると、押し釦４２が可撓性のキートップ４１を変形させながら傾きを深めると共に、フランジ部４５の一端（右端）が保護カバー３のリブ３７に接触する。そして、押し釦４２の回動する支点を中心軸線からリブ３７との接触点Ｏに移して図２（ｃ）の点線で示すような拡大された回転半径ｒで押し釦４２を回転させながら傾斜させることになる。
【００１５】
そして、この押し釦４２の傾きに伴う垂直変位が一定値に達したときに、スイッチ本体４０をＯＮさせて押し釦４２を押し上げた時と同様に確認灯２３が点灯又は点滅される。このように、本発明によれば、逆キャップ状に形成した押し釦４２に直接引き紐４３を接続すると共に、この押し釦４２を利用して引き紐４３の移動量に対する押し釦４２の垂直方向の変位量を拡大させてスイッチ本体４０をＯＮするように構成した。この結果、スイッチ機構４の応答動作が速くなり、スイッチ本体４０のＯＮ・ＯＦＦ動作を向上させることができる。このようにリブ３７を設けることで、リブ３７がない場合に比べ、押し釦４２の傾きを制限できるので、スイッチ本体４０に過度の力がかかることを防止できる。
【００１６】
実施の形態２
図４は本発明の実施の形態２の構成説明図で、（ａ）は側断面図、（ｂ）は底面図である。実施の形態２では火災の感知素子として、火災の発生を熱的に感知するサーミスタ２４が用いられている。また、この小形な感知素子２４を保護するための構成部材に、保護カバー３の一部であるスケルトン状のプロテクタ３０が設けられている。プロテクタ３０はリング状の基台３０ａと、放射状に複数本設けられる脚部３０ｂと、脚部３０ｂの先端に設けられ、基台３０ａより小径の頂部３０ｃとを備えている。頂部３０ｃ内には、放射状に複数の爪部が設けられる。また、基台３０ａの下面には、突起又は係止片が設けられる。このようにプロテクタ３０は、筐体１とは別体に形成され、筐体１の中央部に前述の突起又は係止片を利用して取り付けられる。特に、この実施の形態２では、プロテクタ３０が実施の形態１のライトガイド３６と同様にアクリル樹脂のような透光性の樹脂材で作られていて感知素子２４の保護と透光との２つの機能を果たすように構成されている。その他、確認灯２３やスイッチ機構４の構成や動作は実施の形態１と共通するので、再説明は省略する。なお、確認灯２３は、プロテクタ３０の基台３０ａの内側に近接して設けられている。実施の形態２によれば、立体構造のプロテクタ３０が点灯した確認灯２３の投射光を受けて発光するので、感知器の作動状態を一層正確に確認することができる。実施の形態２の場合も、スイッチ機構４が同様に動作する。
【００１７】
実施の形態３
図５は本発明の実施の形態３の構成説明図で、図５の（ａ），（ｂ），（ｃ）の上部と下部はいずれも筐体１の側面図と底面図である。なお、図５では図１と同様に感知素子に光学台２１を用いて、天井などに固定されたベース５に連結された図面が示されている。前述のように、普通の火災感知器の筐体１は表面が緻密で滑り易い合成樹脂で作られている。そこで、実施の形態３では、図５の（ａ）〜（ｃ）に示す構造が採用されている。即ち、図５（ａ）では本体２と保護カバー３との連結部の外周の４カ所に、円弧状で滑り止め用の指掛け孔６１が穿設されている。また、図５の（ｂ）には保護カバー３に角形溝６２が形成され、図５（ｃ）には本体２の外周に線状突起６３が形成されている。図５の（ａ）〜（ｃ）に示すような筐体１の外周に円弧状の指掛け孔６１等の滑り止め用の指掛け６（６は総称）を設ければ、簡単な構成で手指の滑りを効果的に防止することができる。このような指掛け６を設けることで、筐体１をベース５に回動させて取付又は取り外す際、回動作業を滑らずに行うことが可能となる。また、指掛け６として本体２の外周に、くぼみ（ディンプル）や、小突起を必要に応じて適切な量を部分的または全体的に設けるようにしてもよい。
【００１８】
なお、上述の本発明の各実施の形態では確認灯が左右一対の場合を例示して説明したが、確認灯の個数は適宜増減してもよい。また、実施の形態３の場合には、火災感知器の動作状態を表示する確認灯に代えてブザーや報知などの音声を発する場合にも本発明を適用することが可能である。さらに、実施の形態３では円弧や角形等の３種類の指掛けを示したが、必ずしもこれらの例示に拘るものではなく、ライトガイドやスイッチ機構の構造等に就いても同様な機能や効果を果たす限りは適宜別の構成に変更することができる。
【００１９】
【発明の効果】
本発明は、内部に火災検出部を収容した本体と、本体の下部に結合される保護カバーとよりなる筐体を備えた火災感知器において、本体の内部に火災検出部の点検用のスイッチを設け、点検用のスイッチが設けられるプリント基板に、点検用のスイッチが押されると点灯又は点滅する確認灯を設け、確認灯の周りに、点検用のスイッチを押す押し釦が接触するリブを設け、点検用のスイッチを押す押し釦に引き紐を接続し、引き紐を筐体から引き出した火災感知器を構成した。
また、本発明は、内部に火災検出部を収容した本体と、本体の下部に結合される保護カバーとよりなる筐体を備えた火災感知器において、本体の内部に火災検出部の点検用のスイッチを設け、点検用のスイッチを押す押し釦を設け、押し釦は、逆キャップ状に成型されて、外周にフランジ部が形成され、フランジ部の一部に形成された延長部に引き紐が連結されて、引き紐が前記筐体から引き出される火災感知器を構成した。
さらに、本発明は、筐体の外周に滑り止め用の指掛けを設けた火災感知器を構成した。
【００２０】
この結果、本発明によれば、動作確認用のスイッチをほぼ直接的に操作して構成を簡素化して応答を速くすると共に、天井面などへの取付けや取り外しが容易でその上安全な火災感知器を提供することができる。
【図面の簡単な説明】
【図１】本発明の実施の形態１の構成説明図である。
【図２】実施の形態１のスイッチ機構の動作説明図である。
【図３】ライトガイドの詳細を示した断面図である。
【図４】本発明の実施の形態２の構成説明図である。
【図５】本発明の実施の形態３の構成説明図である。
【図６】従来の感知器の断面図である。
【符号の説明】
１  筐体、                ２  本体、              ３  保護カバー、
４  スイッチ機構、        ５  ベース、            ６  指掛け、
１１  取付金具、
２０  プリント基板、      ２１  光学台、          ２２  係止片、
２３  確認灯、
３０  プロテクタ、        ３０ａ  基台、          ３０ｂ  脚部、
３０ｃ  頂部、
３１  保護板、            ３２  支柱、            ３３  通気路、
３４  音響孔、            ３５  釦孔、            ３６  ライトガイド、
３７  リブ、
４０  スイッチ本体、      ４１  キートップ、      ４２  押し釦、
４３  引き紐、            ４４  挿入孔、          ４５  フランジ部、
４６  取付孔、
６１  指掛け孔、          ６２角形溝、            ６３  線状突起、
【図１】
0004253757.tif 000002
【図２】
0004253757.tif 000003
【図３】
0004253757.tif 000004
【図４】
0004253757.tif 000005
【図５】
0004253757.tif 000006
【図６】
0004253757.tif 000007